(57)【要約】【課題】勝馬投票運営企業の情報公開センター或は総合投票センターから投票に関する最新情報を取得しながら利用者の要求に合致する投票情報をその端末機へ送信する装置を提供する。さらにその利用者の要求は利用者が選択したマイニングモデルプログラムを装置内で実用させ、その結果データ（着順など）のみを送信する装置を提供する。【解決手段】勝馬投票券購入支援サービス装置には前記勝馬競走成績を蓄積する情報センター或は投票センターから所定時刻毎、又は、レース終了毎に最新の投票情報データをそのサービス装置のデータベースに更新・蓄積させておき、利用者からの支援サービスアクセスに対してはその最新データで処理する。また、利用者はデータベース内に存在する全てのデータをパラメータとして選択でき、さらにそのパラメータに重みづけの選択をボタンを設け、入力を容易にすることによって簡単にマイニング情報を入力できる手段等を備える。【選択図】図１
2005149150.tif 000002
【特許請求の範囲】
【請求項１】
勝馬投票券購入支援サービスを受けるため、その利用者の少なくともブラウザを備えるパソコン、或はインターネット対応の携帯電話の端末機からのアクセス信号をインターネットを経由し、受信できる勝馬投票券購入支援サービス装置であって、
前記パソコン或は携帯電話に応答するファイヤウォールを含むＷｅｂサーバと、勝馬投票券購入の支援サービス依頼事項を処理するために必要とする各種データを蓄積するデータベースを管理するデータベースサーバと、利用者からの各種サービス依頼に応答する応答業務処理手段、並びに、前記データベースをすべて現在時点の最新の競馬成績データに追加更新するため、その勝馬投票を受け付ける総合投票センターまたは競馬開催に関する最新のデータを蓄積する情報センターからデータを受信する最新データ受信手段とを有するアプリケーションサーバとを少なくとも備え、
前記データベースは、最新データまでを含む競馬競走データに関する過去データテーブル、血統などを含むその成績テーブル、血液型・星座などを含む騎手の成績テーブル、調教師の成績テーブル、人気などを含めた各種レース毎のオッズデータテーブルを少なくとも含む現在までの勝馬競走成績情報データベースと、
データ抽出、分類、並べ替えを含むデータベース検索処理プログラム、その加工データ統計解析処理プログラム、過去データテーブルからなる競馬ソフトライブラリデータベースと、
支援サービス申込利用者毎の利用履歴データベースとを少なくとも備え、
前記アプリケーションサーバの応答業務処理手段は、利用者の前記端末機からの支援サービス申込が最初である時は、その申込データ入力画面を送信し、その入力データを受信して前記利用履歴データベースに登録する申込画面送信／利用者登録手段と、
利用者がそのデータベースに登録されていれば、利用者が指定した支援サービス条件項目入力画面・アクセス用パスワードを端末機に送信し、その入力画面を受信してパスワードが正しければデータベースに記録するサービス入力画面・パスワード送信／条件入力画面受信手段と、利用者の入力した条件に基づいて前記情報センタに蓄積された勝馬競走成績情報データベースの最新データを加工、計算処理を行い、利用者の指定した条件の下に仮定された勝馬マイニングデータのみを利用者端末機へ送信する結果データ送信手段とを少なくとも備えることを特徴とするインターネットを介する勝馬投票券購入支援サービス装置。
【請求項２】
前記条件項目が前記勝馬競走成績情報データベースの目次の検索である場合は、利用者端末へその目次の検索画面を送信するデータベース目次検索画面送信手段と、
前記条件項目が、利用者の指定した検索条件により、抽出するデータ内容である場合は、その指定した検索条件により前記勝馬競走成績情報データベースからその内容を抽出して利用履歴データベースへ記録すると共に利用者端末画面へ送信する指定データ抽出／送信手段と、
前記条件項目が、利用者により抽出或は加工したデータを統計或は解析処理する場合は、利用者が設定した統計或は解析条件を受信しその統計或は解析結果を利用者の利用履歴データベースに記録すると共に、その結果データを利用者端末画面へ送信する統計解析処理／結果送信手段と、
前記条件項目が、利用者が指定したレースの成績（着順）マイニングである場合は、さらに、パラメータ選択・重み係数設定を利用者端末へ送信し、過去の走破タイム、馬体、特徴を含む当日馬体重、当日オッズ、過去の人気、馬の血統、調教タイム、騎手、調教師のデータ、ハンデ、内枠、外枠、枠順を少なくとも含むパラメータの選択とそれらの重みづけを入力させて、カスタマイズマイニングプログラムを実行し、その結果データを利用履歴データベースへ記録すると共に、利用者端末画面へ送信するマイニングプログラム実行／結果送信手段とを備えることを特徴とする請求項１記載のインターネットを介する勝馬投票券購入支援サービス装置。
【請求項３】
前記カスタマイズマイニングプログラムの場合における重みづけは、データの採集期間を複数期間に分けてそれらの各期間の選択・非選択、又はそれぞれの期間の重み係数の設定を行う採集期間の重みづけと、前記パラメータ項目に対する重みづけとからなることを特徴とする請求項２記載のインターネットを介する勝馬投票券購入支援サービス装置。
【請求項４】
前記走破タイムは、右回り、左回り、芝、ダートを含むコース別、馬場天候の良・不良を含む馬場状態別、距離別のパラメータを選択可能であることを特徴とする請求項２又は３記載のインターネットを介する勝馬投票券購入支援サービス装置。
【請求項５】
前記データベースに、さらに、利用者のカスタマイズしたマイニングプログラムを記録する利用者カスタマイズマイニングプログラムデータベースを備え、
利用者の開発したカスタマイズマイニングプログラムの実行結果が実際のレース結果に合致する確立が高いと判断する他の利用者の端末からその登録を申込めば、その登録申込に応答して利用者カスタマイズマイニングプログラムデータベースに登録するマイニングプログラム登録手段と、
そのマイニング処理結果をさらに他のプログラムと比較するマイニングの成績評価手段とを備えることを特徴とする請求項２乃至４のいずれかに記載のインターネットを介する勝馬投票券購入支援サービス装置。
【請求項６】
前記Ｗｅｂサーバは、さらに、利用者毎の前記端末機からの電子会話室選択信号に応答して、その利用者毎の会話文をリアルタイムに時系列順に表示する電子掲示板ＣＧＩ（ｃｏｍｍｏｎ  ｇａｔｅｗａｙ  ｉｎｔｅｒｆａｃｅ）を有し、
前記利用者が、その電子会話室でその利用者が開発したカスタマイズマイニングプログラムを少なくとも送信して公開できることを特徴とする請求項５記載のインターネットを介する勝馬投票券購入支援サービス装置。
【発明の詳細な説明】
【技術分野】
【０００１】
インターネットを介して、アクセスして勝馬を予想するための過去の各種データ情報を検索できると共に、利用者が成績着順を統計解析したマイニングプログラムなどを他の利用者も容易に利用できる勝馬投票券購入支援サービス装置に関する。
【背景技術】
【０００２】
勝馬投票において、勝馬を予想し、買い目を決めて、それぞれの買い目毎に投票購入金額を分配する方法は、人により様々である。最もオーソドックスに過去の競走成績などのデータに基づき予想をする人、或はその他の方法で決める人など様々である。
【０００３】
いずれにしても、各人それぞれ何らかのデータ（馬の血統、競走成績、騎手、調教師、オッズ、人気、出目、星座、血液型等）を必要としていること、それらのデータから何らかの結論を導き出そうとすることには変わりがない。
【０００４】
しかしながら、これらのデータを系統立てて入手することは思いのほか難しかった。自分なりの仮説を立てうるに十分なデータを入手することは困難であることが多かった。
【０００５】
例えば、「過去１年間の単勝払戻金を全て」を知りたい人が、これを調べ、パソコンなり何なりに取り込もうとした場合、少なからず労力を強いられていた。
【０００６】
また、以上のデータが取得できたとして、このデータを基に統計的な処理を行う場合パソコンで表計算ソフトウェアを使用すれば高度なデータ処理までできるようになっているが、各自が満足する結果を得るためには、統計解析やプログラムの知識が必要となってくる。しかし、以上のような知識を持つことは一般的には難しい。
【０００７】
そこで、勝馬投票を受け付ける投票用コンピュータシステムのデータベース、及び勝馬競走成績を蓄積する情報用コンピュータシステムに蓄積されている多量の各種データ情報を提供するサービスが望まれていた。なお、特許文献１には利用者ごとにカスタマイズされた検索結果を自動配信することを特徴とするシステム、特許文献２には複数の指数に予想の要素の重み付けを実施する競走順位予想を特徴とするシステムが開示されている。
【０００８】
【特許文献１】特開２００２−３２４０５号公報（第２頁、第１図）
【特許文献２】特開２００２−３７３２１８号公報（第２，３頁、第１図）
【発明の開示】
【発明が解決しようとする課題】
【０００９】
本発明は前述した点に鑑みてなされたものであり、その目的とするところは、インターネット上でＷｅｂブラウザを備えたパソコン或は携帯電話などの端末機から勝馬投票券購入支援サービス装置にアクセスし、利用者は端末機表示画面上のＷｅｂページに必要とするデータの抽出条件を入力してサービス装置へ送信し、サービス装置では投票を受け付ける投票用コンピュータセンターと、勝馬競走成績を蓄積する情報用コンピュータセンターから、常に最新の情報を取得し、利用者の要求に合致する投票情報を少なくとも利用者の端末機へ送信するシステムを提供することにある。
【００１０】
また、抽出したデータのクレンジング処理結果、或は利用者がパラメータを利用者端末機入力画面上で選択させ作成したマイニングモデルプログラムに適用し、サービス装置で計算して得られたマイニング結果を端末機へ送信するシステムを提供する。
【００１１】
また、要求に応じて数値データ結果をグラフ化したり、「オッズ」を照会することで、データ処理の結果に基づき、投資総額、購入点数等を指定すれば、各目毎の購入金額を自動的に算出し端末機へ送信する。
【００１２】
さらに、付加機能として、サービス装置に設けた電子会話室で「バーチャルなコミュニティ」を形成するための電子提示板を備え、そこで各自がカスタマイズして、自らの手法によるカスタマイズマイニングモデルプログラムを公開できるようにするシステムを提供する。
【課題を解決するための手段】
【００１３】
前記課題を解決するため、本発明のインターネットを介する勝馬投票券購入支援サービス装置は、勝馬投票券購入支援サービスを受けるため、その利用者の少なくともブラウザを備えるパソコン、或はインターネット対応の携帯電話の端末機からのアクセス信号をインターネットを経由し、受信できる勝馬投票券購入支援サービス装置であって、
前記パソコン或は携帯電話に応答するファイヤウォールを含むＷｅｂサーバと、勝馬投票券購入の支援サービス依頼事項を処理するために必要とする各種データを蓄積するデータベースを管理するデータベースサーバと、利用者からの各種サービス依頼に応答する応答業務処理手段、並びに、前記データベースをすべて現在時点の最新の競馬成績データに追加更新するため、その勝馬投票を受け付ける総合投票センターまたは競馬開催に関する最新のデータを蓄積する情報センターからデータを受信する最新データ受信手段とを有するアプリケーションサーバとを少なくとも備え、
前記データベースは、最新データまでを含む競馬競技データに関する過去データテーブル、血統などを含むその成績テーブル、血液型・星座などを含む騎手の成績テーブル、調教師の成績テーブル、人気などを含めた各種レース毎のオッズデータテーブルを少なくとも含む現在までの勝馬競走成績情報データベースと、
データ抽出、分類、並べ替えを含むデータベース検索処理プログラム、その加工データ統計解析処理プログラム、過去データテーブルからなる競馬ソフトライブラリデータベースと、
支援サービス申込利用者毎の利用履歴データベースとを少なくとも備え、
前記アプリケーションサーバの応答業務処理手段は、利用者の前記端末機からの支援サービス申込が最初である時は、その申込データ入力画面を送信し、その入力データを受信して前記利用履歴データベースに登録する申込画面送信／利用者登録手段と、
利用者がそのデータベースに登録されていれば、利用者が指定した支援サービス条件項目入力画面・アクセス用パスワードを端末機に送信し、その入力画面を受信してパスワードが正しければデータベースに記録するサービス入力画面・パスワード送信／条件入力画面受信手段と、利用者の入力した条件に基づいて前記情報センターに蓄積された勝馬競走成績情報データベースの最新データを加工、計算処理を行い、利用者の指定した条件の下に仮定された勝馬マイニングデータのみを利用者端末機へ送信する結果データ送信手段とを少なくとも備えることを特徴とする。
【００１４】
また、前記条件項目が前記勝馬競走成績情報データベースの目次の検索である場合は、利用者端末へその目次の検索画面を送信するデータベース目次検索画面送信手段と、
前記条件項目が、利用者の指定した検索条件により、抽出するデータ内容である場合は、その指定した検索条件により前記勝馬競走成績情報データベースからその内容を抽出して利用履歴データベースへ記録すると共に利用者端末画面へ送信する指定データ抽出／送信手段と、
前記条件項目が、利用者により抽出或は加工したデータを統計或は解析処理する場合は、利用者が設定した統計或は解析条件を受信しその統計或は解析結果を利用者の利用履歴データベースに記録すると共に、その結果データを利用者端末画面へ送信する統計解析処理／結果送信手段と、
前記条件項目が、利用者が指定したレースの成績（着順）マイニングである場合は、さらに、パラメータ選択・重み係数設定を利用者端末へ送信し、過去の走破タイム、馬体、特徴を含む当日馬体重、当日オッズ、過去の人気、馬の血統、調教タイム、騎手、調教師のデータ、ハンデ、内枠、外枠、枠順を少なくとも含むパラメータの選択とそれらの重みづけを入力させて、カスタマイズマイニングプログラムを実行し、その結果データを利用履歴データベースへ記録すると共に、利用者端末画面へ送信するマイニングプログラム実行／結果送信手段とを備えることを特徴とする。
【００１５】
また、前記カスタマイズマイニングプログラムの場合における重みづけは、データの採集期間を複数期間に分けてそれらの各期間の選択・非選択、又はそれぞれの期間の重み係数の設定を行う採集期間の重みづけと、前記パラメータ項目に対する重みづけとからなることを特徴とする。
【００１６】
また、前記走破タイムは、右回り、左回り、芝、ダートを含むコース別、馬場天候の良・不良を含む馬場状態別、距離別のパラメータを選択可能であることを特徴とする。
【００１７】
また、前記データベースに、さらに、利用者のカスタマイズしたマイニングプログラムを記録する利用者カスタマイズマイニングプログラムデータベースを備え、
利用者の開発したカスタマイズマイニングプログラムの実行結果が実際のレース結果に合致する確立が高いと判断する他の利用者の端末からその登録を申込めば、その登録申込に応答して利用者カスタマイズマイニングプログラムデータベースに登録するマイニングプログラム登録手段と、
そのマイニング処理結果をさらに他のプログラムと比較するマイニングの成績評価手段とを備えることを特徴とする。
【００１８】
また、前記Ｗｅｂサーバは、さらに、利用者毎の前記端末機からの電子会話室選択信号に応答して、その利用者毎の会話文をリアルタイムに時系列順に表示する電子掲示板ＣＧＩ（ｃｏｍｍｏｎ  ｇａｔｅｗａｙ  ｉｎｔｅｒｆａｃｅ）を有し、
前記利用者が、その電子会話室でその利用者が開発したカスタマイズマイニングプログラムを少なくとも送信して公開できることを特徴とする。
【発明の効果】
【００１９】
本発明のインターネットを介する勝馬投票券購入支援サービス装置は以下の効果を奏する。すなわち、投票受付管理及び投票結果処理管理のために常に最新投票情報が総合投票センターに更新、蓄積されているが、この投票データの膨大なデータを利用者が手軽に利用できることは、その効果が大きく、多くの利用者から期待されるものとなる。
【００２０】
さらに、インターネット上では携帯電話を利用して、必要とする勝馬競走に関するデータの抽出、加工処理、さらに着順などのマイニングプログラムを選択実行させて、その結果のみ受信できるサービスシステムは利用者にとっても便利なものとなる。
【００２１】
特に、マイニングプログラムを各自でそのパラメータ、その重みづけを選択入力して送信し、サービス装置内で計算させて、その結果データを受信し、それに繰返して各自にカスタマイズできるマイニングプログラムを開発できるシステムは効果的な支援システムとなるものである。
【発明を実施するための最良の形態】
【００２２】
本発明のインターネットを介する勝馬投票券購入支援サービス装置について図に基づいて詳細に説明する。
図１は本発明の一実施例を示す。ここで、１０は本発明の勝馬投票券購入支援サービス装置、３０は勝馬投票券購入支援サービスを受ける利用者の少なくともブラウザを備えるパソコン端末機、３０´はその利用者のインターネット対応の携帯電話の端末機を示す。ここで８０は無線基地局、９０はインターネットである。
【００２３】
また、２０は勝馬競走成績の情報用コンピュータシステムである。後述するように、このセンターは投票用コンピュータセンター５０の情報センター５０ｂであってもよい。（図４参照）
【００２４】
勝馬投票券購入支援サービス装置１０は、パソコン３０或は携帯電話３０´に応答するファイヤウォールを含み電子掲示板ＣＧＩ（ｃｏｍｍｏｎ  ｇａｔｅｗａｙ  ｉｎｔｅｒｆａｃｅ）を有するＷｅｂサーバ１１と、勝馬投票券購入支援サービス依頼事項を処理するために必要とする各種データを蓄積するデータベース１３を管理するデータサーバ１４と、利用者からの各種サービス依頼に応答する応答業務処理手段１２ａ並びに前記データベースを経て現在時点の最新の競馬競走成績データを追加更新するため、その勝馬競走成績の情報用コンピュータシステム２０から最新のデータを受信する最新データ受信手段１２ｂと電子掲示板応答手段１２ｃとを有するアプリケーションサーバ１２とを少なくとも備える。さらに、これらの業務を処理する端末機１６、勝馬競走成績の情報用コンピュータシステム２０との通信回線接続部１５及びＬＡＮ１７とを含む。
【００２５】
前記データベース１３は、最新データまでを含む競馬競走成績データに関する全履歴を記録した過去のデータテーブル１３ａ−１、血統などを含む馬の成績テーブル１３ａ−２、血液型・星座などを含む騎手の成績テーブル１３ａ−３、人気などを含めた各レース毎のオッズデータテーブル１３ａ−４、を少なくとも含む現在までの勝馬競走成績情報データベース１３ａを備える。
【００２６】
また、データベース１３は、データ抽出、分類、並べ替えを含むデータベース検索処理プログラム１３ｂ−１、その加工データ統計解析処理プログラム１３ｂ−２，過去データテーブル１３ａ−１から予定レースの着順を含む成績からマイニングする成績マイニングプログラム１３ｂ−３からなる競馬ソフトライブラリデータベース１３ｂを備える。
【００２７】
また、支援サービス申込利用者毎の利用履歴データベース１３ｃを備える。
【００２８】
さらに、利用者がカスタマイズしたマイニングプログラムを記録する利用者カスタマイズマイニングプログラムデータベース１３ｄを備える。
【００２９】
次に、前記アプリケーションサーバ１２は、前述したように、応答業務処理手段１２ａ、最新データ受信手段１２ｂ、電子掲示板応答手段１２ｃからなるが、その中の応答業務処理手段１２ａは、さらに、以下のような手段１２ａ−１〜１２ａ−９からなる。
【００３０】
手段１２ａ−１は、利用者のパソコン、携帯電話などの端末機３０、３０´からの支援サービス申込が利用履歴データベース１３ｃを検索して最初であるときは、その申込データ入力画面をその端末機へ送信し、利用者端末機３０、３０´からの入力データを受信して前記利用履歴データベース１３ｃへ登録する申込画面送信／利用者登録手段１２ａ−１である。
【００３１】
手段１２ａ−２はデータベース１３ｃに登録されていれば支援サービス条件項目入力画面・装置１０アクセス用パスワードを端末機３０、３０´へ送信し、その条件項目入力画面を受信してパスワードが正しければデータベース１３ｃに記録するサービス入力画面・パスワード送信／条件入力画面受信手段１２ａ−２である。
【００３２】
手段１２ａ−３は、利用者の入力した条件項目に基づいて情報用コンピュータシステム２０からの最新データを加工計算処理を行い、その結果データのみ利用者端末機３０、３１´へ送信する結果データ送信手段１２ａ−３である。
【００３３】
手段１２ａ−４は、前記条件項目が勝馬競走成績情報データベース１３ａの目次の検索である場合は、利用者へその目次の検索画面を送信するデータベース目次検索画面送信手段１２―４である。
【００３４】
手段１２ａ−５は、前記条件項目が利用者の指定した検索条件により抽出するデータ内容である場合は、その指定した検索条件により勝馬競走成績情報データベース１３ａからそのデータ内容を抽出して利用履歴データベース１３ｃへ記録すると共に利用者端末画面へ送信する指定データ抽出／送信手段１２ａ−５である。
【００３５】
手段１２ａ−６は、前記条件項目が、利用者により抽出或は加工したデータを統計或は解析処理する場合は、利用者が設定した統計或は解析条件を受信して行い、その統計或は解析結果を利用者の利用履歴データベース１３ｃに記録すると共に、その結果データを利用者端末機３０、３０´画面へ送信する統計解析処理／結果送信手段１２ａ−６である。
【００３６】
手段１２ａ−７は、前記条件項目が利用者が指定したレースの成績、着順マイニングである場合は、さらに、利用者に競馬ソフトライブデータベース１３ｂから選択した、利用者が作成し保存したカスタマイズマイニングプログラムのなかから選択させると共に、計算パラメーター選択・重み係数設定を利用者端末３０、３０´へ送信し、過去の走破タイム、馬体特徴を含む当日馬体重、当日のオッズ、過去の人気、馬の血統、調教タイム、騎手、調教師のデータ、ハンデ、内枠、外枠、枠順を少なくとも含むパラメーターの選択と、それら重みづけを入力させて、カスタマイズマイニングプログラムを実行し、その結果データを利用履歴データベース１３ｄへ記録すると共に、利用者端末機３０、３０´画面へ送信するマイニングプログラム実行／結果送信手段１２−７ａである。
【００３７】
前記カスタマイズマイニングプログラムの重みづけは、データ採集期間を複数期間に分けて、それらの各期間の選択・非選択をボタン等で決め、或は又、それぞれの期間の重み係数の設定をボタン等で決める採集期間の重みづけと、前記パラメータ項目に対する重みづけとからなるそれぞれの選択ボタンを備える。
【００３８】
また、前記走破タイムは、右回り、左回り、芝、ダートを含むコース別、天候馬場の良・不良を含む馬場状況別、距離別のパラメータを選択可能とするそれぞれの選択ボタンを備える。
【００３９】
次に、手段１２ａ−８は、利用者が開発したカスタマイズマイニングプログラムの実行結果が実際のレース結果に合致する確率が高いと判断したときは、利用者の端末機３０、３０´からそのプログラムの登録を申込めば、その登録申込に応答して利用者カスタマイズマイニングプログラムデータベース１３ｄに登録するマイニングプログラム登録手段１２ａ−８である。
【００４０】
また、手段１２ａ−９は、その処理結果を標準の他のプログラムと比較する成績評価手段１２ａ−９である。
【００４１】
さらに、前記利用者毎に会話文をリアルタイムに時系列順に表示する電子掲示板ＣＧＩを有するＷｅｂサーバにより、利用者はその電子会話室で、前記利用者が開発したカスタマイズマイニングプログラムを少なくとも送信して、その実行結果データと共に公開することができる。
【００４２】
次に、本発明の勝馬投票券購入支援サービス装置１０の動作の流れについて以下に述べる。
【００４３】
図２は勝馬投票券購入支援サービス装置１０の全体の動作の流れを示す。図３は利用者の入力した条件項目について、それぞれの詳細な動作の流れ、及びカスタマイズマイニングプログラムと電子会話室の関係を示している。
【００４４】
図２のＳ２１、Ｓ２２では利用者から最初の勝馬投票券購入支援サービスのアクセスがあったとき、申込画面を送信し、その入力データにより登録をする。
【００４５】
図２のＳ２３、Ｓ２４では、すでに利用者が利用履歴データベース１３ｃに登録されていれば、支援サービスの条件項目入力画面と、そのサービスのためのサービス装置１０へのアクセス用パスワードを送信し、支援サービスを依頼するものは、その利用者ＩＤコードとパスワードを入力して条件項目画面へデータを入力し、サービス装置１０はその入力データを受信する。
【００４６】
図２のＳ２５では利用者の入力した条件項目より勝馬競走成績情報データベース１３ａより最新のデータを検索し、利用者の依頼に応じて加工、計算処理を行い、結果データのみ端末機へ送信する。
【００４７】
図２のＳ２６では、データベース１３ａを常時最新データにするため所定時刻毎に、例えばレース終了毎に、或はレース前ではそのオッズを所定時刻毎に更新する。
【００４８】
図３のＳ３１、Ｓ３２、Ｓ３３、Ｓ３４では、それぞれ条件項目の場合に応じて、それぞれ対応する手段１２ａ−４〜１２ａ−７の処理を行うことを示す。
【００４９】
図３のＳ３４では、利用者が最も利用したい着順マイニングプログラムを競馬ソフトライブラリデータベース１３ｂから選択し、それに必要なパラメーターを画面から入力すればカスタマイズマイニングプログラムを容易に動作させ、その結果データのみ端末機で受信できること示す。
【００５０】
図３のＳ３５、Ｓ３６では、利用者が、そのマイニングプログラムをカスタマイズすることもできる。それは、そのパラメータの選択或は重みづけを自分なりに選択して自分専用にカスタマイズマイニングプログラムとすることを示す。
【００５１】
カスタマイズマイニングプログラムは、サービス装置１０のデータベース１３ｄに登録し、何時でも端末機３０、３０´から指令して、そのプログラムにより次のレースの着順などをマイニングできることを示す。
【００５２】
図３、Ｓ３７では、以上の利用者のカスタマイズマイニングプログラムが、サービス装置１０の電子会話室の電子掲示板で公開して登録できると共に、公開でその評価を受けることができることを示す。
【００５３】
図４は本発明の勝馬投票券購入支援サービス装置の第２実施例を示す。第２実施例のサービス装置４０は利用者の端末機３０、３０´からの投票申込信号に応答して、その申込受付の処理を行う。この実施の形態によれば、着順マイニングプログラムで抽出した勝ち馬の組み合わせデータを、改めて入力せずに投票データとして送信させることができる。
【００５４】
すなわち、投票受付機能を備える勝馬投票券購入支援サービス装置４０は、投票申込信号にも対応するため、以下のように構成される。
【００５５】
４１はインターネット９０から端末機３０、３０´に応答するＷｅｂサーバ、４６は支援サービス及び投票受付管理用端末、４５は勝馬投票を受け付ける投票用コンピュータセンター５０と通信回線で接続する接続部である。尚、投票用コンピュータセンター５０は投票を管理する計算センター５０ａと投票の最新情報を管理する情報センター５０ｂよりなる。これらの投票データは競馬場内外の投票端末群６０からも収集される。
【００５６】
勝馬投票券購入支援サービスに関する情報は接続部４５を経由して情報センター５０ｂから情報を受信し、一方、投票申込受付処理に関しては接続部４５を経由して計算センター５０ａから受付処理番号を受信する。
【００５７】
４２はアプリケーションサーバであり、第１の実施例におけるサービス支援に関する応答業務処理手段１２ａ（１２ａ−１〜１２ａ−９からなる）、最新データ受付手段１２ｂ及び電子掲示板応答手段１２ｃなどに加えて、投票受付業務手段４２ｄを備える。
【００５８】
４４はデータベース４３を管理するデータベースサーバ、データベース４３は第１の実施例におけるサービス支援に関する応答業務処理のため必要なデータベース１３ａ、１３ｂ、１３ｃ、１３ｄに加えて、投票受付業務に関して必要な投票受付用データベース４３ｅを備える。
【００５９】
サービス装置４０の動作の流れは以下のようになる。利用者の端末機３０、３０´からインターネット９０を介しての支援サービス申込は第１実施例と同様である。但し、サービス装置４０は所定の時刻毎に接続部４５を介して投票用コンピュータセンター５０の情報センター５０ｂより直接最新データを取得している。
【００６０】
利用者の端末機３０、３０´からインターネット９０を介して投票申込の信号を受信した場合は、手段４２ｄにより投票申込入力画面を端末機３０、３０´へ送信し、その端末機で入力させた投票データを受信し、そのデータに基づいて、そのデータベース４３ｌへ記録すると共に、計算センター５０ａから受付番号を受信したときは直ちにその端末機３０、３０´へその受付番号を送信し、その処理結果をデータベース４３ｌへ記録する。
【図面の簡単な説明】
【００６１】
【図１】本発明の勝馬投票券購入支援サービス装置（第１実施例）である。
【図２】本発明の勝馬投票券購入支援サービス装置動作の流れ図（１）である。
【図３】本発明の勝馬投票券購入支援サービス装置動作の流れ図（２）である。
【図４】本発明の勝馬投票券購入支援サービス装置（第２実施例）である。
【符号の説明】
【００６２】
１０、４０  勝馬投票券購入支援サービス装置
２０        勝馬競走成績を蓄積する情報用コンピュータシステム
３０        利用者のパソコン端末機
３０´      利用者の携帯電話端末機
５０        投票用コンピュータセンター
５０ａ      計算センター
５０ｂ      情報センター
６０        競馬場内外の投票端末群
８０        無線基地局
９０        インターネット
【図１】
2005149150.tif 000003
【図２】
2005149150.tif 000004
【図３】
2005149150.tif 000005
【図４】
2005149150.tif 000006